(57)【要約】【課題】内視鏡の経年変化が所定の程度となるまでに残されている余裕を内視鏡のユーザに適切に提供する。【解決手段】履歴情報取得手段１は、内視鏡の使用履歴に関する情報を取得する。推測手段２は、この情報に基づいて、その内視鏡についての使用開始から現在までの経年変化の推測を行なう。表示手段３は、その内視鏡について予め設定されている経年変化の程度に対する推測手段２による推測の結果の割合を表示する。【選択図】        図１
2004174008.tif 000002
【特許請求の範囲】
【請求項１】
内視鏡の使用履歴に関する情報を取得する履歴情報取得手段と、
前記情報に基づいて前記内視鏡についての使用開始から現在までの経年変化の推測を行う推測手段と、
前記内視鏡について予め設定されている経年変化の程度に対する前記推測の結果の割合を表示する表示手段と、
を有することを特徴とする内視鏡情報システム。
【請求項２】
前記内視鏡について予め設定されている経年変化の程度は、該内視鏡に対してメンテナンスの実施が推奨される程度であることを特徴とする請求項１に記載の内視鏡情報システム。
【請求項３】
前記使用履歴に関する情報は、前記内視鏡の使用時間及び使用回数のうちのいずれか若しくは両方を少なくとも示していることを特徴とする請求項１に記載の内視鏡情報システム。
【請求項４】
前記使用履歴に関する情報は、前記内視鏡に備えられているスコープ記憶手段に記憶されていることを特徴とする請求項１に記載の内視鏡情報システム。
【請求項５】
前記スコープ記憶手段には、前記内視鏡を識別するスコープ識別情報が更に記憶されており、
前記内視鏡情報システムは、複数の内視鏡の各々についての使用履歴に関する情報がスコープ識別情報に関連付けられて記憶される使用履歴記憶手段を更に有する、
ことを特徴とする請求項４に記載の内視鏡情報システム。
【請求項６】
前記表示手段は、前記推測の結果の割合を描画によって表示することを特徴とする請求項１に記載の内視鏡情報システム。
【請求項７】
前記表示手段は、複数の前記内視鏡についての前記推測の結果の割合を該内視鏡毎に個別に表示することを特徴とする請求項１に記載の内視鏡情報システム。
【請求項８】
前記表示手段は、複数の前記内視鏡の各々についての前記推測の結果の割合を一覧表示することを特徴とする請求項１に記載の内視鏡情報システム。
【請求項９】
内視鏡の使用履歴に関する情報を記憶する記憶手段を自ら備え、
前記記憶手段に記憶されている情報を取得する内視鏡情報システムによって、前記内視鏡についての使用開始から現在までの経年変化の推測が該情報に基づいて行なわれ、該内視鏡について予め設定されている経年変化の程度に対する該推測の結果の割合が表示される、
ことを特徴とする内視鏡。
【請求項１０】
内視鏡の使用履歴に関する情報を取得する履歴情報取得処理と、
前記情報に基づいて前記内視鏡についての使用開始から現在までの経年変化の推測を行う推測処理と、
前記内視鏡について予め設定されている経年変化の程度に対する前記推測の結果の割合を表示する表示処理と、
をコンピュータに行わせるためのプログラム。
【発明の詳細な説明】
【０００１】
【発明の属する技術分野】
本発明は、医療機関等で行われている内視鏡検査の業務支援を行う技術に関し、特に、内視鏡スコープの使用管理を行う技術に関する。
【０００２】
【従来の技術】
内視鏡検査の業務支援を行う技術として、特許文献１や特許文献２に開示されている技術が知られている。このうち、特許文献１には、内視鏡システムにおける内視鏡部分の利用状況や洗浄状態などを管理するシステムが開示されている。このシステムでは、内視鏡の推奨メンテナンス時期を内視鏡毎に年月で表示する機能を有している。この推奨メンテナンス時期の年月は、当該内視鏡を使用して実施された検査回数、当該内視鏡を内視鏡システムに対して抜き差しした回数、当該内視鏡を使用して行われた内視鏡画像の記録回数（レリーズ数）、及び当該内視鏡の累積使用時間に基づいて決定されている。
【０００３】
【特許文献１】
特開２００１−４６３２６号公報
【特許文献２】
特開２００２−７３６１５号公報
【０００４】
【発明が解決しようとする課題】
特許文献１に開示されている内視鏡の推奨メンテナンス時期の年月の表示では、当該内視鏡の使用頻度が顕著に変化するとその年月の表示が刻々と変化してしまう。この年月の表示は前の時期へにも後の時期へにも変化し得るものであるから、特に、この年月の表示が早い時期へと急激に変化してしまうと、メンテナンスの時期を逸してしまうことが考えられる。そのため、検査の実施中に故障が発生して内視鏡の交換を余儀なくされ、その結果検査の実施時間が長引いてしまうようなこともあり得る。
【０００５】
以上の問題を鑑み、内視鏡の経年変化が所定の程度となるまでに残されている余裕を内視鏡のユーザに適切に提供することが本発明が解決しようとする課題である。
【０００６】
【課題を解決するための手段】
まず図１について説明する。同図は本発明に係る内視鏡情報システムの原理構成図である。
履歴情報取得手段１は、内視鏡の使用履歴に関する情報を取得する。
【０００７】
推測手段２は、この情報に基づいて、その内視鏡についての使用開始から現在までの経年変化の推測を行う。
表示手段３は、その内視鏡について予め設定されている経年変化の程度に対する推測手段２による推測の結果の割合を表示する。
【０００８】
ここで、内視鏡について予め設定されている経年変化の程度は、該内視鏡に対してメンテナンスの実施が推奨される程度とすることができる。
上記の構成によれば、単調に変化していく内視鏡についての使用開始から現在までの経年変化の推測の結果を、その内視鏡についての経年変化の程度に対する割合によって提示するので、内視鏡の経年変化が所定の程度となるまでに残されている余裕を内視鏡のユーザに適切に提供することができる。
【０００９】
なお、上述した本発明に係る内視鏡情報システムにおいて、履歴情報取得手段１によって取得される使用履歴に関する情報は、内視鏡の使用時間及び使用回数のうちのいずれか若しくは両方を少なくとも示しているようにすることができる。
【００１０】
この構成によれば、推測手段２が、内視鏡の使用時間及び使用回数のうちのいずれか若しくは両方に基づいて、その内視鏡についての使用開始から現在までの経年変化の推測を行なうことができる。
また、前述した本発明に係る内視鏡情報システムにおいて、履歴情報取得手段１によって取得される使用履歴に関する情報は、前記内視鏡に備えられているスコープ記憶手段に記憶されているものでよい。
【００１１】
この構成によれば、内視鏡とその内視鏡についての使用履歴に関する情報との対応関係の管理が容易となる。
なお、ここで、スコープ記憶手段には、前記内視鏡を識別するスコープ識別情報が更に記憶されており、内視鏡情報システムが、複数の内視鏡の各々についての使用履歴に関する情報がスコープ識別情報に関連付けられて記憶される使用履歴記憶手段を更に有するように構成することもできる。
【００１２】
この構成によれば、内視鏡が内視鏡情報システムから取り外されている状態であっても、その内視鏡の経年変化が所定の程度となるまでに残されている余裕を内視鏡のユーザに提供することができる。
また、前述した本発明に係る内視鏡情報システムにおいて、表示手段３は、推測手段２によって推測された結果についての前述した割合を描画によって表示するように構成することができる。
【００１３】
この構成によれば、その内視鏡の経年変化が所定の程度となるまでに残されている余裕が描画によってアナログ的に提示されるので、その余裕がどの程度残されているかを素早く把握することができる。
また、前述した本発明に係る内視鏡情報システムにおいて、表示手段３は、複数の内視鏡についての前述した推測の結果の割合を該内視鏡毎に個別に表示する構成とすることができる。
【００１４】
この構成によれば、内視鏡のユーザが特定の内視鏡についての前述した推測の結果の割合を素早く認識することができる。
また、前述した本発明に係る内視鏡情報システムにおいて、表示手段３は、複数の内視鏡の各々についての前述した推測の結果の割合を一覧表示する構成とすることができる。
【００１５】
この構成によれば、内視鏡のユーザが複数の内視鏡についての前述した推測の結果の割合を纏めて認識することができる。
また、内視鏡の使用履歴に関する情報を記憶する記憶手段を自ら備え、該記憶手段に記憶されている情報を取得する内視鏡情報システムによって、該内視鏡についての使用開始から現在までの経年変化の推測が該情報に基づいて行なわれ、該内視鏡について予め設定されている経年変化の程度に対する該推測の結果の割合が表示される内視鏡、すなわち前述した本発明に係る内視鏡情報システムによって、予め設定されている経年変化の程度に対する前述した推測の結果の割合の表示を行う対象である内視鏡も、本発明に係るものである。
【００１６】
なお、前述した本発明に係る内視鏡情報システムの各構成により行なわれる機能に相当する処理をコンピュータに行なわせるプログラムであっても、そのプログラムをコンピュータに読み込ませて実行させることにより、この内視鏡情報システムと同様の作用効果を奏するので、前述した課題が解決される。
【００１７】
【発明の実施の形態】
以下、本発明の実施の形態を図面に基づいて説明する。
図２は本発明を実施するシステムの構成を示している。なお、このシステムは病院内に設置されるものとする。
【００１８】
スコープ１０は内視鏡であり、後述するスコープ情報を記憶するためのＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ  ：電気的消去可能なプログラマブルＲＯＭ）１１が備えられている。
内視鏡システム２０は、スコープ１０を制御して画像の取得・表示・出力の制御を行うシステムであり、特に、スコープ１０に備えられているＥＥＰＲＯＭ１１に記憶されているデータの書き込み及び読み出しを行う。
【００１９】
ＰＣ３０は内視鏡システム２０とは直接に、またＤＢサーバ４０とは病院内に設置されている院内ＬＡＮ（Ｌｏｃａｌ  Ａｒｅａ  Ｎｅｔｗｏｒｋ）５０を経由して、それぞれ接続されているパーソナルコンピュータであり、内視鏡システム２０がＥＥＰＲＯＭ１１から読み出したデータに基づいたＤＢサーバ４０へのデータ操作の指示、ＥＥＰＲＯＭ１１に記憶されているデータの更新の指示、スコープ１０についての後述するスコープライフ情報の表示などを行う
ＤＢ（データベース）サーバ４０は後述するスコープ情報４１や履歴情報４２などのデータを蓄積すると共に、ＰＣ３０から送られてくる指示に基づいたデータ操作をその蓄積されているデータに対して行う。
【００２０】
次に図３について説明する。同図は、図２に示したＰＣ３０及びＤＢサーバ４０の構成を示している。
図３に示す装置はＣＰＵ６１、ＲＯＭ６２、ＲＡＭ６３、記憶部６４、入力部６５、表示部６６、出力部６７、ＬＡＮインタフェース６８、及び内視鏡システムインタフェース６９がバス７０を介して相互に接続されて構成されており、ＣＰＵ６１による管理の下で相互にデータ授受を行うことができる。
【００２１】
ＣＰＵ（Ｃｅｎｔｒａｌ  Ｐｒｏｃｅｓｓｉｎｇ  Ｕｎｉｔ  ）６１はこの図３の装置全体の動作制御を司る中央処理装置である。
ＲＯＭ（Ｒｅａｄ  Ｏｎｌｙ  Ｍｅｍｏｒｙ）６２は、ＣＰＵ６１によって実行される基本制御プログラムが予め格納されているメモリであり、この装置の起動時にＣＰＵ６１がこの基本制御プログラムを実行することによってこの装置全体の動作の基本的な制御がＣＰＵ６１によって行なわれる。
【００２２】
ＲＡＭ（Ｒａｎｄｏｍ  Ａｃｃｅｓｓ  Ｍｅｍｏｒｙ）６３は、各種制御プログラムをＣＰＵ６１が実行するときにワークメモリとして使用され、また各種のデータの一時的な格納領域として必要に応じて用いられるメインメモリとしても機能するメモリである。
【００２３】
記憶部６４は例えばＨＤＤ（Ｈａｒｄ  Ｄｉｓｋ  Ｄｒｉｖｅ  ）を備えて構成される。図３の装置がＰＣ３０として使用されるときには、後述するスコープ情報取得・更新処理及びスコープライフ表示処理をＣＰＵ６１に行わせるための制御プログラムが記憶部６４には予め格納されている。また、図３の装置がＤＢサーバ４０として使用されるときには、記憶部６４は後述するスコープ情報４１や履歴情報４２などの各種のデータが格納されるデータ格納装置として機能すると共に、ＰＣ３０から送られてくる各種のデータ操作の指示に応じてこのデータベースに対するデータ操作処理をＣＰＵ６１に行わせるための制御プログラムを予め格納している。
【００２４】
入力部６５は外部からの入力を受け取ってその入力の内容をＣＰＵ６１に渡すものであり、例えばキーボードやマウスなどといったこの装置を操作する操作者からの指示を受け取る入力装置を備えている。また、入力部６５は、ＦＤ（Ｆｌｅｘｉｂｌｅ  Ｄｉｓｋ）、ＣＤ−ＲＯＭ（Ｃｏｍｐａｃｔ  Ｄｉｓｃ−ＲＯＭ）、ＤＶＤ−ＲＯＭ（Ｄｉｇｉｔａｌ  Ｖｅｒｓａｔｉｌｅ  Ｄｉｓｃ−ＲＯＭ）、ＭＯ（Ｍａｇｎｅｔｏ−Ｏｐｔｉｃｓ）ディスクなどといった可搬型の記録媒体の読出装置を必要に応じて備えて構成される。
【００２５】
表示部６６はＣＰＵ６１からの指示に応じた各種の情報の表示を行うものであり、例えばＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）を備えて構成される。
出力部６７はＣＰＵ６１からの指示に応じた各種の情報の出力を行うものであり、例えば表示部６６での表示内容をそのまま用紙に印刷するためのプリンタ装置などである。
【００２６】
ＬＡＮインタフェース６８は、この装置を院内ＬＡＮ５０に接続してＰＣ３０とＤＢサーバ４０との間でのデータ授受を行う際の通信管理を行う。
内視鏡システムインタフェース６９は、ＰＣ３０であるこの図３の装置と内視鏡システム２０と接続してデータ授受を行う際の通信管理を行う。なお、この図３の装置がＤＢサーバ４０として使用されるときにはこの内視鏡システムインタフェース６９は不要である。
【００２７】
なお、図３に示した装置は標準的なハードウェア構成を有するコンピュータシステムであれば通常有しているものであり、このようなコンピュータシステムを流用してＰＣ３０やＤＢサーバ４０を構成することができる。
次に図４について説明する。同図は、図２に示すシステムで扱われている各種データのデータ構造を示しており、（ａ）はスコープ情報のデータ構造を、また（ｂ）は履歴情報のデータ構造を、それぞれ示している。
【００２８】
図４（ａ）のスコープ情報４１はスコープ１０に関する情報であり、スコープ１０の機種を特定する「スコープ機種名」、スコープ１０を他のものと識別するために付与される識別子である「スコープＩＤ」、スコープ１０の「使用開始日」、使用開始以降のスコープ１０の「使用回数」、及び使用開始以降のスコープ１０の「使用時間」などの各種のデータを含んでいる。
【００２９】
このスコープ情報４１は、元々はスコープ１０に備えられているＥＥＰＲＯＭ１１に格納される情報であるが、このスコープ１０が内視鏡システム２０に接続されるとこのスコープ情報４１が内視鏡システム２０によって読み出されてＰＣ３０へと送られ、スコープ情報４１を取得したＰＣ３０がデータ操作の指示をＤＢサーバ４０に与えて蓄積されているスコープ情報４１の更新を行わせる。このとき、未蓄積である新規のスコープ１０についてのデータ操作の指示がＰＣ３０からなされたときには、ＤＢサーバ４０はこのスコープ情報４１を格納すると共に、この新規のスコープ１０についての履歴情報４２の格納ファイルを作成して格納する。
【００３０】
図４（ｂ）の履歴情報４２はスコープ１０の使用履歴を示す情報である。履歴情報４２はスコープ１０の識別のために付与されているスコープＩＤ毎に別個のデータファイルが作成され、スコープ１０が使用される度に１レコードずつ追加される。このレコードの各フィールドには、スコープ１０が使用された年月日を示す「使用日」、スコープ１０の使用が開始された時刻を示す「使用開始時刻」、スコープ１０を使用した内視鏡検査実施者の氏名が示される「使用者」、患者の識別の為に付与されている識別子であって内視鏡検査の対象者を示す「患者ＩＤ」、その患者の氏名を示す「患者名」、実施された内視鏡検査における検査項目名を示す「検査項目」、及びその使用後にスコープ１０の洗浄を済ませたか否かを示す「洗浄有無」の各種データが格納される。
【００３１】
なお、このスコープ情報４１及び履歴情報４２は、上述したもの以外のデータを有していてもよい。
次に図５について説明する。同図は、スコープ情報取得・更新処理の処理内容を示すフローチャートである。この処理は、スコープ１０が使用されたときにスコープ１０のＥＥＰＲＯＭ１１に格納されているスコープ情報４１を更新すると共に、ＤＢサーバ４０に格納されているスコープ１０についてのスコープ情報４１をＥＥＰＲＯＭ１１に格納されているものに一致させる処理である。
【００３２】
なお、この図５に示されている処理は、ＰＣ３０のＣＰＵ６１によって行われる処理であり、このＣＰＵ６１は、ＰＣ３０の記憶部６４に格納されている制御プログラムを実行することによってこの処理を実現する。また、この処理は、スコープ１０が内視鏡システム２０に装着されたことを示す通知が内視鏡システム２０からＰＣ３０へと送られ、この通知の受信をＰＣ３０のＣＰＵ６１が検出することによって開始される。
【００３３】
まず、Ｓ１０１では、内視鏡システム２０へ指示を与えてスコープ１０のＥＥＰＲＯＭ１１に格納されているスコープ情報４１を読み出させ、このスコープ情報４１を内視鏡システム２０から取得する処理が行われる。
Ｓ１０２では、ＤＢサーバ４０へ指示を与えてこのスコープ１０についてのスコープ情報４１の検索を行わせる処理が行われる。ＤＢサーバ４０ではこの指示に応じた検索がＤＢサーバ４０の記憶部６４を対象として行われ、指示されたスコープ情報４１が存在したか否かを示す情報を検索結果としてＰＣ３０へ返す。
【００３４】
Ｓ１０３では、ＤＢサーバ４０からの返答の内容が調べられ、指示したスコープ情報４１が見つかったか否かが判定される。この結果、指示したスコープ情報４１が見つからなかった（Ｓ１０３の判定処理の結果がＮｏ）ときには、Ｓ１０４においてＤＢサーバ４０に指示を与え、このスコープ１０についての情報ファイル、すなわち、スコープ１０についてのスコープ情報４１及び履歴情報４２を格納するためのデータファイルをＤＢサーバ４０の記憶部６４に新規に作成させる処理が行われる。
【００３５】
Ｓ１０５では、前述したＳ１０１の処理によって取得されたスコープ情報４１をＤＢサーバ４０へ送付し、ＤＢサーバ４０の記憶部６４に格納されているスコープ１０についてのスコープ情報４１を送付したデータに一致させるデータ更新の処理が行われる。
【００３６】
Ｓ１０６では、ＣＰＵ６２での制御プログラムの実行によって構築される、時間の経過を計時するタイマをリセットして起動させる処理が行われ、スコープ１０の今回の使用時間の計時が開始される。
その後、Ｓ１０７において、スコープ１０の使用を終了した旨の通知を内視鏡システム２０から受け取ったことがＰＣ３０において検出されるまで、このＳ１０７の判定処理が繰り返される。
【００３７】
Ｓ１０８では、前述したＳ１０６の処理によって起動させたタイマの計時動作を停止させる処理が行われる。
Ｓ１０９では、前ステップの処理によって停止させたタイマの計時時間、すなわちプローブ１０の今回の使用時間を、前述したＳ１０１の処理によって取得されたスコープ情報４１における「使用時間」のデータで示されている値に加算してこのデータを更新する処理が行われる。
【００３８】
Ｓ１１０では、前述したＳ１０１の処理によって取得されたスコープ情報４１における「使用回数」のデータで示されている値をインクリメント（１だけ加算）してこのデータを更新する処理が行われる。
Ｓ１１１では、前述したＳ１０９及びＳ１１０の処理によって更新された「使用時間」及び「使用回数」のデータを内視鏡システム２０に送付してスコープ１０のＥＥＰＲＯＭ１１に格納されているスコープ情報４１におけるこれらの「使用時間」及び「使用回数」のデータを更新させる処理が行われる。内視鏡システム２０ではＥＥＰＲＯＭ１１のスコープ情報４１を更新後、スコープ１０の内視鏡システム２０からの取り外しを許可する。
【００３９】
Ｓ１１２では、前述したＳ１０９及びＳ１１０の処理によって更新された「使用時間」及び「使用回数」のデータをＤＢサーバ４０に送付してＤＢサーバ４０の記憶部６４に格納されているこのスコープ１０についてのスコープ情報４１におけるこれらの「使用時間」及び「使用回数」のデータを更新させる処理が行われる。その後はこのスコープ情報取得・更新処理が終了する。
【００４０】
以上までの処理がスコープ情報取得・更新処理である。
次に図６について説明する。図６はスコープライフ表示処理の処理内容を示すフローチャートである。この処理は、ＤＢサーバ４０にスコープ情報４１が格納されているスコープ１０の各々についてのスコープライフを求め、ＰＣ３０の表示部６６にスコープライフの表示を行う処理である。
【００４１】
ここでスコープライフについて説明する。スコープ１０のスコープライフとは、スコープ１０に対しメンテナンスの実施が推奨される経年変化量に対するスコープ１０の使用開始（若しくは直近のメンテナンス後）から現在までの経年変化量の割合を示すものである。本実施形態においては、使用時間や使用回数といったスコープ１０の使用履歴に関する情報に基づいてスコープ１０についての使用開始から現在までの経年変化量の推測を行ない、スコープ１０について予め設定されている経年変化の程度、すなわちスコープ１０に対しメンテナンスの実施が推奨される経年変化量に対するこの推測結果の割合をＰＣ３０の表示部６６で描画により視覚的に表示するようにしてスコープライフをユーザに提示する。
【００４２】
図６に示されている処理は、ＰＣ３０のＣＰＵ６１によって行われる処理であり、このＣＰＵ６１は、ＰＣ３０の記憶部６４に格納されている制御プログラムを実行することによってこの処理を実現する。また、この処理は、スコープ履歴の表示をＰＣ３０の表示部６６に行わせる指示を示す入力がＰＣ３０の入力部６５に対して行われたことをＰＣ３０のＣＰＵ６１が検出することによって開始される。
【００４３】
まず、Ｓ２０１では、ＤＢサーバ４０へ指示を与えてＤＢサーバ４０の記憶部６４に格納されている全てのスコープ情報４１及び対応する履歴情報４２をＰＣ３０へ送付させる処理が行われる。ＤＢサーバ４０ではこの指示に応じ、記憶部６４から読み出したスコープ情報４１及び履歴情報４２をＰＣ３０へ送付する。
【００４４】
Ｓ２０２では、ＰＣ３０の記憶部６４に予め格納されている各スコープの経年変化係数のうち、前ステップの処理によって取得したスコープ情報４１に対応するスコープ１０と同一機種についてのものを全て読み出す処理が行われる。
ここで、スコープについての使用開始から現在までの経年変化の推測の手法、及びスコープの経年変化係数について説明する。本実施形態では、図７に示すスコープ１０の経年変化量Ｎを下記の式により算出する。
【００４５】
Ｎ＝Ｐ１（α＋β＋γ＋Δ）＋Ｐ２（ε＋ζ＋η＋θ）＋Ｃ
上式において、Ｐ１は使用開始から現在までの総使用時間、Ｐ２は使用開始から現在までの総使用回数であり、これらはプローブ１０についてのプローブ情報４１に示されている。また、α、β、γ、及びΔは単位使用回数当たりの故障の発生数を示す経年変化係数、ε、ζ、η、及びθは単位使用回数当たりの故障の発生数を示す経年変化係数であり、α及びεはカメラ部１２についてのもの、β及びζは蛇管部１３についてのもの、γ及びηは操作部１４についてのもの、そしてΔ及びθは接続部１５についてのものである。また、Ｃは定数である経年変化係数である。なお、これらの経年変化係数は例えば同一機種のプローブについての故障の故障の発生数により統計的に算出する。
【００４６】
なお、スコープ１０の経年変化量の算出は上述したもの以外の手法を採用してもよい。
図６の説明へ戻る。Ｓ２０３では、各スコープについてのスコープライフ閾値を取得する処理が行なわれ、続くＳ２０４では各スコープのスコープライフ表示を決定する処理が行われ、Ｓ２０５においてスコープリスト画面をＰＣ３０の表示部６６に表示させる処理が行われる。
【００４７】
ここで図８について説明する。同図はスコープリスト画面の一例を示している。このスコープリスト画面は、ＤＢサーバ４０の記憶部６４に格納されている全てのスコープ情報４１及び履歴情報４２の一部と各スコープについてのスコープライフ表示とを一覧表示するものである。
【００４８】
図８を参照すると、ＤＢサーバ４０の記憶部６４には８つのスコープについてのスコープ情報４１が格納されていることが分かり、各スコープについて、スコープ情報４１である「スコープ名」（すなわち「スコープ機種名」）、「スコープＩＤ」、「使用開始日」、「使用回数」、及び「使用時間」の各データの内容と、履歴情報４２である「洗浄有無」のデータの内容とが表示されていることが分かる。なお、このスコープリスト画面において、「スコープＮｏ」は各スコープについての情報をスコープリスト画面に表示する際に便宜上降順に付した番号である。また、「分類」はスコープの種類の分類を示しており、この情報は、例えばＤＢサーバ４０の記憶部６４に格納されているスコープの機種名とスコープの種類の分類との対応を示す不図示のテーブルを参照することによって取得する。
【００４９】
この図８に示したスコープリスト画面における各行の右端には、その行で示されているスコープについてのスコープライフの表示がなされている。本実施形態においては、スコープライフは横一行に並べられた４つの丸印で示される。
この丸印は、スコープが未使用であるときにはその４つ全てが白丸で表示される。その後、そのスコープの経年変化量の値が大きくなるにつれて、まず、その左端の丸印のみが白丸→網掛け丸→黒丸の順に変化し、左端の丸印が黒丸となった次にはその黒丸の表示を維持しつつその左端から二番目の丸印が白丸→網掛け丸→黒丸の順に変化する。その後、スコープの経年変化量の値の増加に応じてその左端から三番目及び四番目の丸印についても同様に変化し、メンテナンスの実施が推奨される経年変化量に達したときには４つの丸印全てが黒丸となる。つまり、このスコープライフの表示では、［白、白、白、白］の表示から［黒、黒、黒、黒］の表示まで、全部で９段階の表示が行われる。
【００５０】
Ｓ２０３の処理によって取得されるスコープライフ閾値とは、前記した式によって算出されたスコープの経年変化量の値に対応するスコープライフの表示を決定するための閾値である。本実施形態においては９段階のスコープライフ表示を行うので、スコープライフ閾値はスコープの機種毎に８つの数値が予め用意されており、例えばＰＣ３０の記憶部６４に予め格納されている。Ｓ２０４のスコープライフ表示の決定処理では、スコープの経年変化量の値が各スコープライフ閾値と大小比較され、その比較結果に基づいて９段階のスコープライフ表示のうちのいずれの表示を行うかが決定される。本実施形態ではこの決定に基づいたスコープライフの表示をスコープリスト画面において行う。
【００５１】
図６のフローチャートの説明へ戻る。Ｓ２０６では、前述したＳ２０５の処理よってＰＣ３０の表示部６６に表示されているスコープリスト画面から、特定のスコープの選択を確定する指示がＰＣ３０の入力部６５に対してなされたか否かが判定され、この判定結果がＹｅｓならばＳ２０８に処理が進む。一方、この判定結果がＮｏならばＳ２０７において、スコープの選択を除いた他の指示が入力部６５に対してなされたか否かが判定され、この判定結果がＹｅｓならばこのスコープライフ表示処理を終了し、その指示に応じて行われる他の処理の実行を開始する。一方、Ｓ２０７の判定処理の結果がＮｏならばＳ２０６へ処理が戻って上述した処理が繰り返される。
【００５２】
Ｓ２０８では、スコープ使用履歴画面をＰＣ３０の表示部６６に表示させる処理が行われる。
ここで図９について説明する。同図はスコープ使用履歴画面の一例を示している。このスコープ使用履歴画面は、Ｓ２０６の処理において検出された指示に係るスコープについてのスコープ情報４１とスコープライフ表示とを画面の左端に示すと共に、このスコープのについての履歴情報４２、すなわち、「使用日」、「使用開始時刻」、「使用者」、「患者ＩＤ」、「患者名」、「検査項目」、及び「洗浄有無」の各種データを示すものである。
【００５３】
Ｓ２０９では、図９のスコープ使用履歴画面の左下端に設けられている「一覧に戻る」の表示を選択する指示がＰＣ３０の入力部６５に対してなされたか否かが判定され、この判定結果がＹｅｓならばＳ２０５へ処理が戻って上述した処理が繰り返される。一方、この判定結果がＮｏならば、判定結果がＹｅｓとなるまでこのＳ２０９の処理が繰り返される。
【００５４】
以上までの処理がスコープライフ表示処理である。
このように、ＰＣ３０のＣＰＵ６１によって上述したスコープ情報取得・更新処理及びスコープライフ表示処理が行われることにより、使用履歴に関する情報に基づいたスコープについての使用開始から現在までの経年変化の推測、及びそのスコープについて予め設定されているメンテナンスの実施が推奨される経年変化の程度に対するこの推測の結果の割合の表示が実現される。
【００５５】
なお、上述した実施形態におけるスコープライフ表示は、丸印を白丸→網掛け丸→黒丸の順に変化させるようにしていたが、その代わりに丸印の色彩を変化させる、あるいはスコープライフ表示として用いる図形の面積や形状を変化させる、等の表示手法を採用することもできる。また、描画によるアナログ的な表示を行う代わりに、メンテナンスの実施が推奨される経年変化の程度に対するこの推測の結果の割合を例えば％表示で数値表示を行うといったデジタル的な表示を行うようにしてもよい。
【００５６】
ところで、以上までに説明したスコープ情報取得・更新処理やスコープライフ表示処理をコンピュータに行なわせるプログラムを作成してコンピュータで読み取り可能な記録媒体に記録させておき、そのプログラムを記録媒体からコンピュータに読み込ませてＣＰＵで実行させるようにしても本発明は実施できる。
【００５７】
記録させた制御プログラムをコンピュータで読み取ることの可能な記録媒体の例を図１０に示す。このような記録媒体としては、例えば、コンピュータ８１に内蔵若しくは外付けの付属装置として備えられるＲＯＭやハードディスク装置などの記憶装置８２、ＦＤ（フレキシブル・ディスク）、ＭＯ（光磁気ディスク）、ＣＤ−ＲＯＭ、ＤＶＤ−ＲＯＭなどといった携帯可能記録媒体８３等が利用できる。
【００５８】
また、記録媒体としては、コンピュータ８１と通信ネットワーク８４を介して接続されているプログラムサーバ８５に内蔵若しくは外付けされる記憶装置８６であってもよく、このような場合には、プログラムサーバ８５側の記憶装置８６に記録されている制御プログラムで搬送信号を変調して得られる伝送信号をプログラムサーバ８５側から送信させ、コンピュータ８１側では通信ネットワーク８４を介して受信されるこの伝送信号から制御プログラムを復調してＣＰＵに実行させればよい。
【００５９】
その他、本発明は、上述した実施形態に限定されることなく、種々の改良・変更が可能である。
例えば、本実施形態においては、スコープ履歴の表示をＰＣ３０の表示部６６に行わせる指示を示す入力がＰＣ３０の入力部６５に対して行われたときにＰＣ３０のＣＰＵ６１がスコープライフ表示処理を行うようにしていたが、その代わりに、スコープ１０が内視鏡システム２０に装着されたこと若しくはスコープ１０が内視鏡システム２０から取り外されたことがＰＣ３０のＣＰＵ６１によって検出されたときにスコープライフ表示処理を行うようにしてもよく、こうすることにより、装着／取り外しが行われたスコープ１０についてのスコープライフ表示を直ちにその使用者に提示することができるので有益である。また、このときには、図８に示したスコープリスト画面の表示を行う前に、そのスコープ１０についての図９に示したスコープ使用履歴画面を直ちに表示するようにすると、スコープ情報４１とスコープライフ表示と共にそのスコープ１０についての履歴情報４２の詳細をその使用者に提示することができ、便利である。
【００６０】
【発明の効果】
以上詳細に説明したように、本発明は、内視鏡の使用履歴に関する情報を取得し、該情報に基づいて該内視鏡についての使用開始から現在までの経年変化の推測を行ない、該内視鏡について予め設定されている経年変化の程度に対する該推測の結果の割合を表示する。
【００６１】
こうすることにより、単調に変化していく内視鏡についての使用開始から現在までの経年変化の推測の結果が、その内視鏡についての経年変化の程度に対する割合によって提示されるので、内視鏡の経年変化が所定の程度となるまでに残されている余裕を内視鏡のユーザに適切に提供することができるという効果を奏する。
【図面の簡単な説明】
【図１】本発明の原理構成を示す図である。
【図２】本発明を実施するシステムの構成を示す図である。
【図３】図２のＰＣ及びＤＢサーバの構成を示す図である。
【図４】各種データのデータ構造を示す図である。
【図５】スコープ情報取得・更新処理の処理内容を示すフローチャートである。
【図６】スコープライフ表示処理の処理内容を示すフローチャートである。
【図７】スコープの経年変化を説明する図である。
【図８】スコープリスト画面の例を示す図である。
【図９】スコープ使用履歴画面の例を示す図である。
【図１０】記録させた制御プログラムをコンピュータで読み取ることの可能な記録媒体の例を示す図である。
【符号の説明】
１  履歴情報表示手段
２  推測手段
３  表示手段
１０  スコープ
１１  ＥＥＰＲＯＭ
１２  カメラ部
１３  蛇管部
１４  操作部
１５  接続部
２０  内視鏡システム
３０  ＰＣ
４０  ＤＢサーバ
４１  スコープ情報
４２  履歴情報
５０  院内ＬＡＮ
６１  ＣＰＵ
６２  ＲＯＭ
６３  ＲＡＭ
６４  記憶部
６５  入力部
６６  表示部
６７  出力部
６８  ＬＡＮインタフェース
６９  内視鏡システムインタフェース
７０  バス
８１  コンピュータ
８２、８６  記憶装置
８３  携帯可能記録媒体
８４  通信ネットワーク
８５  プログラムサーバ
【図１】
2004174008.tif 000003
【図２】
2004174008.tif 000004
【図３】
2004174008.tif 000005
【図４】
2004174008.tif 000006
【図５】
2004174008.tif 000007
【図６】
2004174008.tif 000008
【図７】
2004174008.tif 000009
【図８】
2004174008.tif 000010
【図９】
2004174008.tif 000011
【図１０】
2004174008.tif 000012